(57)【要約】【課題】直径の異なる多種多様な汁物容器であっても安定して容器体に載せることを技術的課題とし、もって内容物を溢すことなく運搬することをである。【解決手段】上部に開口部を有する容器本体１０と、該開口部を覆う蓋体２０とを有し、該蓋体２０は、２段以上の段部２３を備えている円形状の凹部２１を有することを特徴とする蓋体付き容器体である。また、凹部２１は、段部２３の最外部となる第１凹部２１ａの一部が互いに重なり合い重複しており、更には凹部２１における段部２３が３段である。【選択図】  図１
2017088202.tif 000002
【特許請求の範囲】
【請求項１】
上部に開口部を有する容器本体（１０）と、該開口部を覆う蓋体（２０）とを有し、
該蓋体（２０）は、２段以上の段部（２３）を備えている円形状の凹部（２１）を有することを特徴とする蓋体付き容器体。
【請求項２】
前記凹部（２１）は、前記段部（２３）の最外部となる第１凹部（２１ａ）の一部が互いに重なり合い重複している請求項１に記載の蓋体付き容器体。
【請求項３】
前記凹部（２１）における前記段部（２３）が３段である請求項１又は２に記載の蓋体付き容器体。
【発明の詳細な説明】
【技術分野】
【０００１】
本発明は、弁当やケーキなどを収納する蓋体付き容器体に関し、詳細には、容器体と共に汁物容器を同時に安定して運搬することができる蓋体付き容器体に関するものである。
【背景技術】
【０００２】
外食店でお弁当又はケーキを購入した際に、同時にお味噌汁やコーヒーなどの汁物を購入して運搬する時は、片手にお弁当又はケーキを手提げ袋に持ち、もう一方の手で熱いお味噌汁やコーヒーなどの汁物を安定した状態で長時間運搬するのは難しいものであった。そのため、お弁当又はケーキの容器上に紙製の汁物ホルダーを置いて汁物を安定させる場合もあるが、販売者が別途付属させる汁物ホルダーのコスト負担を嫌うことが多い。このようなため、従来、弁当箱の蓋体にくぼみ又は凸部を設けて紙コップ等の汁物の転倒や落下を防止しつつ、弁当箱と紙コップを同時に運搬することが開示されている（例えば、特許文献１参照）。
【先行技術文献】
【特許文献】
【０００３】
【特許文献１】実用新案登録第３０４４０８７号公報
【発明の概要】
【発明が解決しようとする課題】
【０００４】
しかしながら、特許文献１にあっては、くぼみ又は凸部の直径が全て同じであるため、くぼみ又は凸部より汁物の容器の直径が大きい場合には、汁物の容器はくぼみ又は凸部に乗せることは不可能であるという問題がある。また、汁物の容器の直径がくぼみ又は凸部の直径より小さい場合には、固定が不十分でガタついて運搬する際に不安定で内容物を溢すおそれがあった。このように、多様な汁物容器に対し安定して載せることが求められていた。
【０００５】
本発明は、上記した従来技術における問題点を解消すべく、創案されたもので、直径の異なる多種多様な汁物容器であっても安定して容器体に載せることを技術的課題とし、もって内容物を溢すことなく運搬することを目的とするものであります。
【課題を解決するための手段】
【０００６】
上記課題を解決するための手段の主たる構成は、
上部に開口部を有する容器本体と、該開口部を覆う蓋体とを有し、
該蓋体は、２段以上の段部を備えている円形状の凹部を有することを特徴とする蓋体付き容器体である。
【０００７】
直径の異なる汁物容器であっても安定して容器体に乗せることができ、内容物を溢すことなく安定して運搬することが達成できる。
【０００８】
本発明の別の構成は、上記した主たる構成において、段部の最外部となる第１凹部の一部が互いに重なり合い重複しているものである。
【０００９】
第１凹部の一部が重なり合い重複することによって、凹部がそれぞれ独立した構成よりも、蓋体に占める設置面積を小さくすることができるため、小さな容器体の蓋体にも本発明の段部を有する凹部を配することが可能である。
【００１０】
また、本発明の別の構成は、上記した主たる構成において、凹部における段部が３段のものである。
【００１１】
段部が３段のものにあっては、底面直径の異なる多種多様なカップ容器に対応できることができる。
【発明の効果】
【００１２】
本発明は、上記した構成となっているので、以下に示す効果を奏する。
本発明の主たる構成においては、直径の異なる多種多様な汁物容器であっても安定して容器体に載せることができ、よって内容物を溢すことなく安定して運搬することが可能である。
【図面の簡単な説明】
【００１３】
【図１】本発明の第１の実施形態を示す斜視図である。
【図２】第１の実施形態における容器体を示す平面図である。
【図３】第１の実施形態における容器体の断面図である。
【図４】第１の実施形態における容器本体と蓋体の変形例を示す斜視図である。
【図５】図４における平面図である。
【図６】第１の実施形態における容器体を積み重ね、カップ容器を乗せた側面図である。
【図７】本発明の第２の実施形態を示す平面図である。
【発明を実施するための形態】
【００１４】
以下、本発明の実施の形態について図面を参照しつつ説明する。
【００１５】
本発明の蓋付きの容器体１は、上部が開口した矩形状の容器本体１０と、容器本体１０の開口部に被せられる矩形状の蓋体２０とを備える。本発明において容器本体１０及び蓋体２０の材質は特に限定されるものではなく、合成樹脂や積層材等の各種材質のものを用いることができる。
【００１６】
容器本体１０は食料類が収容される所定の深さの収容部１１を備えている。収容部１１の底面中央部には、その下方から収容部１１に向かってへこんだ底くぼみ部１２が形成されている（図３参照）。また、容器本体１０の開口部端部には外側に向かって張り出す容器フランジ部１３が全周に亘って一体に連設されており、その容器フランジ部１３の端部からは下方に開口部外周縁１３ａが垂下している。
【００１７】
蓋体２０は、上面に円形状の凹部２１を備えており、凹部２１は２段以上の段部２２を有している。つまり、凹部２１は、円形状の最外部に位置する第１凹部２１ａ、その内側に第２凹部２１ｂを少なくとも有する。現在市販されているコーヒー、ジュース、お味噌汁などのカップ容器２の底部直径は小さいもので５０ｍｍ程度、大きいもので７０ｍｍ程度、その中間の６０ｍｍ程度のものも販売されていることから、凹部２１は３段の段部２２として、第１凹部２１ａ、第２凹部２１ｂ、第３凹部２１ｃを備えていることで多種多様なカップ容器２に対応できることから好ましい。段部２２の段差高さは、カップ容器２が運搬時にズレて傾き内容物がこぼれるのを防止できる高さであれば構わない。また、蓋体２０の端部には外側に向かって張り出す蓋体フランジ部２３が全周に亘って一体に連設され、その端部からは下方に蓋体外周縁２３ａが垂下している。更に、蓋体２０の上面には上方に膨らんだ蓋体凸部２４が形成されている。
【００１８】
容器本体１０に対して蓋体２０を被せるには、図３に示すように、蓋体２０の蓋体外周縁２３ａを容器本体１０の開口部外周縁１３ａの外側に嵌めるによって、容器本体１０と蓋体２０とが強固に係合することができる。
【００１９】
次に、容器本体１０に蓋体２０を嵌めた容器体１を積み重ねる場合は、図６に示されるように、下段となる蓋体２０の蓋体凸部２４に上段に設置する容器本体１０の底くぼみ部１２を当接させる。この当接によって、底くぼみ部１２に蓋体凸部２４が収まるかたちとなり、上下に容器体１が積み重ねられることができ、これを繰り返すことで多段にも積み重ねられる。この積み重ねにおいて、上段の底くぼみ部１２に下段の蓋体凸部２４が収まることで、容器体同士がズレたり移動したりすることを防止でき、より安定して積み重ねることが可能である。
【００２０】
容器体１としては、図１に示さるように食品類を収納できる所定の深さと嵩高さを有するような弁当箱や、図４に示されるように更に深さが深くて嵩高さのあるケーキ箱などが挙げられる。
【００２１】
蓋体２０の凹部２１の個数は特に限定されないが、凹部２１に内容物の入ったカップ容器２を載せることから、カップ容器２を載せた時の重量バランスや蓋体２０の強度を考慮する必要がある。特に、カップ容器２には汁物の内容物が入っていることが多いため、凹部２１の配置位置は重量バランスにズレを生じないように、凹部２１が１個であれば蓋体２０の中心部に配し、凹部２１が２個であれば蓋体２０の中心部に対して対称なる位置に配し、凹部２１が３個であれば蓋体２０の中心部と、それ対して対称となる位置に配することが好ましい（図５参照）。また、図２に示されるように、凹部２１が３個の場合は仮想的な三角形の各頂点となる位置に配することもでき、凹部２１が４個の場合は仮想的な四角形の各頂点となる位置に配することができ、凹部２１が５個の場合は図２（ｃ）又は図２（ｄ）に示される位置に配することができ、カップ容器２を載せた時に重量バランスを崩さないように配置することが好ましい。
【００２２】
凹部２１は、円形状の最外部に位置する第１凹部２１ａ、その内側に第２凹部２１ｂの２段以上の段部２２を有している。図６に示されるように３段の段部２２として、第１凹部２１ａ、第２凹部２１ｂ、第３凹部２１ｃを備えることにより、底面直径の異なる多種多様なカップ容器２に対応できることが可能となる。なお、段部２２は３段に限定されるものではなく、４段や５段などであっても構わない。
【００２３】
図７は、本発明の第２の実施形態に使用される蓋体２０の他の実施例を示すものである。この蓋体２０の他の実施例では、凹部２１の最外凹部（第１凹部）２１ａの一部が重なり合う構成となっている。最外凹部２１ａの一部が重なり合い重複することによって、凹部２１がそれぞれ独立した構成よりも、蓋体２０に占める設置面積を小さくすることができる。そのため小さな容器体１の蓋体２０にも本発明の段部２２を有する凹部２１を配することができる。
【００２４】
重なり合う凹部２１は配置としては、図７（ａ）に示されるように凹部２１を同一線上に並べて配する構成、図７（ｂ）に示されるように凹部２１の最外凹部２１ａを互いに重なり合い重複する構成が挙げられる。
【００２５】
以上、実施例に沿って本発明の構成とその作用効果について説明したが、本発明の実施の形態は上記実施形態に特定されるものではない。
例えば、容器本体１０と蓋体２０を別体としたが、これに代えて、容器本体１０がヒンジ部を介して蓋体２０と一体化する構造であっても構わない。また、容器本体１０と蓋体２０の形状として矩形状を説明したが、円形状や楕円状のものであっても構わない。
【産業上の利用可能性】
【００２６】
本発明の蓋体付き容器体は、直径の異なる多種多様な汁物容器であっても安定して容器体に載せることができ、内容物を溢すことなく安定して運搬することができ、蓋体付き容器体として広い分野での適用を可能とすることができる。
【符号の説明】
【００２７】
１    ；容器体
２    ；カップ容器（汁物容器）
１０  ；容器本体
１１  ；収納部
１２  ；底くぼみ部
１３  ；容器フランジ部
１３ａ；開口部外周縁
２０  ；蓋体
２１  ；凹部
２１ａ；第１凹部（最外凹部）
２１ｂ；第２凹部
２１ｃ；第３凹部
２２  ；段部
２３  ；蓋体フランジ部
２３ａ；蓋体外周縁
２４  ；蓋体凸部
【図１】
2017088202.tif 000003
【図２】
2017088202.tif 000004
【図３】
2017088202.tif 000005
【図４】
2017088202.tif 000006
【図５】
2017088202.tif 000007
【図６】
2017088202.tif 000008
【図７】
2017088202.tif 000009